(57)【特許請求の範囲】
【請求項１】
容器の上方に配置されたヘッドの側壁に、当該側壁の外周面を環状に開口する環状溝を形成し、当該環状溝の内径側周面で形作られた円筒部の先端を小径部とすると共に、当該先端を除く円筒部の外周面に複数の長溝を形成し、前記環状溝に、ノズルチップの隔壁から後方に延在する周壁を嵌合させることで、当該ノズルチップの隔壁の背面側と円筒部の小径部側との間に、当該円筒部の小径部を形作る環状の段差からノズルチップの隔壁に形成した貫通孔に向かって収束する複数のスピン溝が形成され、容器の内容液が長溝からスピン溝を通って前記貫通孔から噴霧可能なノズルヘッドであって、
前記小径部は、その先端隅部が全周に亘って、当該小径部の先端に向かって傾斜するように切り欠かれてなる環状の傾斜面として構成されていることを特徴とするノズルヘッド。
【発明の詳細な説明】
【技術分野】
【０００１】
本発明は、容器の上方に配置されて内容液を噴霧するノズルヘッドに関するものである。
【背景技術】
【０００２】
ノズルヘッドとしては、例えば、容器の上方に配置されたヘッドの側壁に環状溝を開口させる一方、この環状溝の内径側周面で形作られた円筒部の先端を小径にすると共に、この先端を除く円筒部の外周面に複数の長溝を形成し、当該環状溝にノズルチップを嵌合させたものがある（例えば、特許文献１参照）。
【先行技術文献】
【特許文献】
【０００３】
【特許文献１】実公平２−１５７９６号公報
【発明の概要】
【発明が解決しようとする課題】
【０００４】
しかしながら、従来のノズルヘッドは、ヘッドとノズルチップとの間に、ノズルチップに形成した貫通孔に向かって収束する複数のスピン溝が形成されることで、内容液を霧状に噴射させるところ、噴射領域が狭く均等な噴霧ができない場合があった。
【０００５】
本発明の目的とするところは、噴射領域を拡大させつつ均等な噴霧を実現するノズルヘッドを提供することにある。
【課題を解決するための手段】
【０００６】
本発明は、従来のノズルヘッドにおいて、噴射領域が狭く均等な噴霧ができない原因の１つが、ヘッドに設けた円筒部周りでのスピン溝と長溝との位置関係にあることに着目してなされたものであり、
容器の上方に配置されたヘッドの側面に、当該側面から環状に開口する環状溝を形成し、当該環状溝の内径側周面で形作られた円筒部の先端を小径にすると共に、当該先端を除く円筒部の外周面に複数の長溝を形成し、前記環状溝に、ノズルチップの隔壁背面から後方に延在する周壁を嵌合させることで、当該ノズルチップの隔壁の背面側と円筒部の先端側との間に、当該円筒部の先端を形作る環状の段差からノズルチップの隔壁に形成した貫通孔に向かって収束する複数のスピン溝が形成され、容器の内容液が長溝からスピン溝を通って前記貫通孔から噴霧可能なノズルヘッドであって、
前記小径部は、その先端隅部が全周に亘って切り欠かれてなる環状の傾斜面として構成されていることを特徴とするものである。
【０００７】
本発明に従えば、前記傾斜面は、平面として構成することができ、また、円筒部の先端に向かうに従って傾斜割合が増加する曲面として構成することもできる。
【発明の効果】
【０００８】
本発明によれば、小径部の先端隅部に環状の傾斜面が全周に亘って形成されているため、ヘッドの円筒部に形成された長溝がスピン溝に対して良好な位置関係でない場合であっても、内容液が環状の傾斜面の周方向に沿って拡大することで、スピン溝への流通は良好なものとなる。
【０００９】
加えて、本発明によれば、小径部の先端隅部が当該小径部の先端に向かって傾斜するため、長溝の下流側からスピン溝に導入される内容液は、ノズルチップの貫通孔に向かうように流れることで、スピン溝の合流位置にある貫通孔に内容液を効率的に集めることができる。
【００１０】
これにより、本発明によれば、噴射領域の中心に近い部分での噴射量と、その外縁部分での噴射量との差が小さくなると共に、噴射領域自体も拡大するところから、噴射領域を拡大させつつ均等な噴霧を実現することができる。
【図面の簡単な説明】
【００１１】
【図１】本発明の第１の形態であるノズルヘッドを容器用ポンプに装着した状態を模式的に一部断面で示す要部拡大図である。
【図２】(a),(b)はそれぞれ、同形態の構成要素である、ヘッドに設けた円筒部を、その上側から模式的に示す要部平面図及び、その要部正面図である。
【図３】同形態のヘッドに設けた円筒部を、その先端側から模式的に示す要部斜視図である。
【図４】(a),(b)はそれぞれ、同形態の構成要素である、ノズルチップを模式的に示す正面図及び背面図である。
【図５】同形態のノズルチップを、その背面側から一部断面で模式的に示す要部斜視図である。
【図６】同形態の流路構造を正面から概念的に示すＸ−Ｘ断面図である。
【図７】同形態を操作して内容液を噴霧させた状態を従来のノズルヘッドを操作して内容液を噴霧させた状態と共に模式的に一部で断面で示す要部拡大図である。
【図８】本発明の第２の形態であるノズルヘッドを容器用ポンプに装着した状態を模式的に一部断面で示す要部拡大図である。
【図９】(a),(b)はそれぞれ、同形態のヘッドに設けた円筒部を、その上側から模式的に示す要部平面図及び、その要部正面図である。
【図１０】同形態の流路構造を正面から概念的に示すＸ−Ｘ断面図である。
【図１１】本発明の第３の形態であるノズルヘッドを容器用ポンプに装着した状態を模式的に一部断面で示す要部拡大図である。
【図１２】第１の形態に係る、他の流路構造を正面から概念的に示すＸ−Ｘ断面図である。
【発明を実施するための形態】
【００１２】
以下、図面を参照して、本発明に従うノズルヘッドを詳細に説明する。
【００１３】
図１において、符号１０は、本発明の第１の形態である、ノズルヘッドである。ノズルヘッド１０は、ステムＳを備える既存のポンプＰに繋がり、このポンプＰが固定されるカバーＣを介して図示せぬ容器の口部に装着される。また、ポンプＰとしては、例えば、ステムＳの内側に摺動可能に保持されるピストンＰ1と、ピストンＰ1の内側を摺動可能に嵌合するプランジャＰ2とを備えるプランジャ式ポンプが挙げられる。
【００１４】
符号１１は、ステムＳの上端側が内部嵌合する内部通路ｒ1が形成されたヘッドである。これにより、ヘッド１１は、容器の上方に配置される。また、内部通路ｒ1は、ステムＳの内部通路ｒ0に通じることで、プランジャＰ2の開閉に応じてポンプＰからの内容液が圧送される。
【００１５】
ヘッド１１の側面１１ｆには、図２に示すように、当該側面１１ｆから環状に開口する環状溝１２が形成されている。環状溝１２は、開口部Ａを介して内部通路ｒ1に通じる。
【００１６】
環状溝１２の内径側周面は、その内側に、円筒部１３を形作る。円筒部１３は、開口部Ａに近い上流側の内径側周面ｆ1よりも下流側の内径側周面ｆ2を小径とすることで、図３に示すように、その下流側を大径部１３ａとする一方、その先端を小径部１３ｂとする。これにより、大径部１３ａと小径部１３ｂとの間には、小径部１３ｂを形作る環状の段差面ｆ3が形成される。
【００１７】
円筒部１３のうち、大径部１３ａの外周面（環状溝１２の内径側周面）ｆ1には、３つの長溝Ｇが開口部Ａに近い上流側から下流側に向かって形成されている。
【００１８】
詳細には、長溝Ｇは、図２(a)に示すように、２つの側面１４が等しい溝幅Ｗとなるように延在し、２つの側面１４を繋ぐ底面１５が平面として構成されている。
【００１９】
一方、小径部１３ｂは、その先端隅部が全周に亘って、当該小径部１３ｂの先端１３ｅに向かって傾斜するように切り欠かれてなる環状の傾斜面ｆtとして構成されている。
【００２０】
図４，５に示す符号１６は、図１に示すように、環状溝１２の内径側を覆う隔壁１６ａを有し、この隔壁１６ａの背面から後方に延在する周壁１６ｂが一体に設けられたノズルチップである。ノズルチップ１６の周壁１６ｂは、図１に示すように、環状溝１２のうちの、大径部１３ａの外周面（環状溝１２の内径側周面）ｆ1と環状溝１２の外径側周面ｆ4との間に内部嵌合する。
【００２１】
また、隔壁１６ａの背面には、図５に示すように、隔壁１６に形成した貫通孔１６ｈに向かって収束する３つのスピン溝１７を形作る３つの膨出部１８が一体に設けられている。これにより、ノズルチップ１６を環状溝１２に嵌合させると、図６に示すように、円筒部１３の先端面１３ｅとの間に、円筒部１３の環状段差１３ｓから貫通孔１６ｈに向かって収束する３つのスピン溝１７が形成される。
【００２２】
従って、ノズルヘッド１０の押し下げと復帰を繰り返し、ポンプＰを駆動させると、容器の内容液が長溝Ｇからスピン溝１７を通って貫通孔１６ｈから噴霧される。
【００２３】
本形態によれば、小径部１３の先端隅部に環状の傾斜面ｆtが全周に亘って形成されているため、例えば、図６に示すように、ヘッド１１の円筒部１３に形成された長溝Ｇがスピン溝１７を形作る隆起部１８とオーバーラップすることで、長溝Ｇから圧送された内容液が隆起部１８と干渉するような、長溝Ｇがスピン溝１７に対して良好な位置関係でない場合であっても、同図の矢印Ｆlに示すように、内容液が環状の傾斜面ｆtの周方向に沿って拡大することで、スピン溝１７への流通は良好なものとなる。
【００２４】
加えて、本形態によれば、小径部１３の先端隅部が、図１等に示すように、小径部１３ｂの先端１３ｅに向かって傾斜するため、長溝Ｇの下流側からスピン溝１７に導入される内容液は、図６の矢印Ｆlに示すように、ノズルチップ１６の貫通孔１６ｈに向かうように流れることで、スピン溝１７の合流位置にある貫通孔１６ｈに内容液を効率的に集めることができる。
【００２５】
これにより、本形態によれば、噴射領域の中心に近い部分での噴射量と、その外縁部分での噴射量との差が小さくなると共に、噴射領域自体も拡大するところから、噴射領域を拡大させつつ均等な噴霧を実現することができる。
【００２６】
ここで、図８において、符号２０は、本発明の第２の形態である、ノズルヘッドである。以下、第１の形態と実質的に同一と見なさせる部分については、同一符号をもって説明する。
【００２７】
本形態は、図８，９に示すように、膨出部１８を円筒部１３の端面１３ｅに一体に設けたものである。即ち、本形態は、スピン溝１７を形作る膨出部１８をヘッド１１側に設けたものである。この場合、膨出部１８が長溝Ｇと共にヘッド１１側に設けられたことで、膨出部１８をノズルチップ１６に設けた場合のように、膨出部１８が長溝Ｇと干渉しないように周方向に位置決めしながら固定する必要がない。
【００２８】
また、長溝Ｇから圧送された内容液も、第１の形態と同様、図９の矢印Ｆlに示すように、内容液が環状の傾斜面ｆtをその周方向に沿って拡大することで、スピン溝１７への流通は良好であると共に、当該傾斜面ｆtが、図９等に示すように、小径部１３ｂの先端１３ｅに向かって傾斜するため、図６の矢印Ｆlに示すように、ノズルチップ１６の貫通孔１６ｈに向かうように流れることで、スピン溝１７の合流位置にある貫通孔１６ｈに内容液を効率的に集めることができる。
【００２９】
従って、本形態は、膨出部１８が長溝Ｇと干渉しないようにレイアウトすることで、本発明の効果をより効果的に発揮させることができることに加え、組み付け作業性も向上するという格別の効果を奏する。また、本形態によれば、ノズルチップ１６の背面に膨出部１８を設ける必要がないため、ノズルチップ１６の背面は、図９(a)の二点鎖線で示すように、平面として構成できるので、ノズルチップ１６の簡素化が図れる。
【００３０】
更に、図１１において、符号３０は、第２の形態の変形例としての、ノズルヘッドである。本形態は、円筒部１３の小径部１３ｂをヘッド１１と別体の部材１３ｃとして設けたものである。それ以外の部分については、第２の形態と実質的に同一と見なさせる部分については、同一符号をもって示す。
【００３１】
なお、図１２は、噴射領域が比較的狭い場合であっても、中心に近い部分で噴射量が多くなる一方、その外縁部分での噴射量が少なくなる場合のレイアウトを例示したものである。
【００３２】
図１２のように、長溝Ｇがスピン溝１７に近い位置で位置決めされるとき、従来のノズルヘッドによれば、その噴射領域が比較的狭い範囲（例えば、図７に示す角度β＝２５度）で、中心に近い部分では噴射量が多いの対し、その外縁部分では噴射量が少ないという問題を生じる。
【００３３】
これに対し、上述の各形態によれば、図１２のようなレイアウトで位置決めされた場合であっても、噴射領域の中心に近い部分での噴射量と、その外縁部分での噴射量との差が小さくなると共に、噴射領域自体も、例えば、図７に示す角度α＝４０〜６０度と従来に比べて広く確保することができる。そして、本発明に従えば、長溝Ｇがどの位置にあっても均一な噴霧が可能となる。
【００３４】
上述したところは、本発明の一形態を示したに過ぎず、特許請求の範囲内において、種々の変更を加えることができる。例えば、本発明に従えば、上述した各形態の傾斜面ｆtを、小径部１３ｂに向かうに従って傾斜割合が増加する曲面として構成することができる。
【００３５】
また、本発明に従うノズルヘッドは、上述した形態のように、ポンプ動作を惹起させるための部材に限定されることなく、例えば、エアゾール容器のノズルヘッドとしても適用することができ、その適用範囲は、ノズルヘッドに内容液を圧送する手段を問わない。また、上述の各形態に採用された各構成はそれぞれ、互いに適宜、組み合わせることができる。
【産業上の利用可能性】
【００３６】
本発明は、例えば、香水や保湿剤のような化粧料、虫除け剤等の薬剤等を内容液とする容器の上方に配置されることで、内容液を噴霧するものであれば、様々な吐出器等に適用することができる。
【符号の説明】
【００３７】
１０    ノズルヘッド（第１の形態）
１１    ヘッド
１１ｆ  ヘッド側面
１２    環状溝
１３    円筒部
１３ａ  大径部
１３ｂ  小径部
１３ｅ  円筒部端面
１３ｓ  段差
１４    長溝側面
１５    長溝底面
１６    ノズルチップ
１６ａ  隔壁
１６ｂ  周壁
１６ｈ  貫通孔（噴射孔）
１７    スピン溝
１８    隆起部
２０    ノズルヘッド（第２の形態）
３０    ノズルヘッド（第３の形態）
Ａ      開口部
Ｇ      長溝
Ｐ      ポンプ
Ｐ1     ピストン
Ｐ2     プランジャ
Ｓ      ステム
【図１】
0005424862.tif 000002
【図２】
0005424862.tif 000003
【図３】
0005424862.tif 000004
【図４】
0005424862.tif 000005
【図５】
0005424862.tif 000006
【図６】
0005424862.tif 000007
【図７】
0005424862.tif 000008
【図８】
0005424862.tif 000009
【図９】
0005424862.tif 000010
【図１０】
0005424862.tif 000011
【図１１】
0005424862.tif 000012
【図１２】
0005424862.tif 000013